(57)【要約】【課題】上下の折板を強固に連結することができる折板連結具を提供する。【解決手段】二重折板屋根の折板１、２の間に配置され、これらの折板１、２を連結するための連結具Ａであって、下折板１の山部１ａを跨いで配置される一対の脚部片１１と、脚部片１１の下端部に形成されて下折板１の山部１ａの側部に形成された係止部１ｂに係止される係止脚部３ｂと、一対の脚部片１１、１１の間に架設される連結部材７とを備える。連結部材７により脚部片１１、１１の間隔が拡張するのを防止することができる。係止部１ｂからの係止脚部３ｂの係止を外れにくくすることができる。【選択図】図１
2010248808.tif 000002
【特許請求の範囲】
【請求項１】
二重折板屋根の折板の間に配置され、これらの折板を連結するための連結具であって、下折板の山部を跨いで配置される一対の脚部片と、脚部片の下端部に形成されて下折板の山部の側部に形成された係止部に係止される係止脚部と、一対の脚部片の間に架設される連結部材とを備えて成ることを特徴とする折板連結具。
【請求項２】
連結部材と係止脚部との間に補強部材を架設して成ることを特徴とする請求項１に記載の折板連結具。
【発明の詳細な説明】
【技術分野】
【０００１】
本発明は、対向配置した複数枚の折板を連結するために用いる連結具に関するものである。
【背景技術】
【０００２】
従来より、二枚の折板を上下に対向配置することにより屋根等を形成することが行われているが、上下の折板を連結するにあたって折板連結具（緊結具）が用いられている。図７（ａ）に示す折板連結具Ａ’では、左右一対のピース７０、７０を軸７１で回動自在に枢着し、各ピース７０の下部に凹部７２を設けると共に凹部７２の下側に噛み合わせ部７３を設け、一方のピース７０の上面を吊子固定天面７４として形成するものである（特許文献１参照）。そして、この折板連結具Ａ’で上下の折板を連結するにあたっては、図７（ｂ）に示すように、軸７１を中心としてピース７０、７０を回動させることによって、ピース７０、７０の下部を互いに近接させながら、下側に配設された複数の折板７５、７５…の接合部分であるハゼ締め部７６を凹部７２内に収めると共に噛み合わせ部７３でハゼ締め部７６の下部を挟持する。このようにして下側の折板７５のハゼ締め部７６に折板連結具Ａ’を取り付ける。次に、吊子固定天面７４に吊り子７７を取り付ける。次に、複数の上側の折板７８、７８…を配設すると共に隣り合う折板７８、７８をハゼ締め部７９で接合する。このとき、吊り子７７をハゼ締め部７９で挟持するようにするものである。
【先行技術文献】
【特許文献】
【０００３】
【特許文献１】特許第３８５０６９３号公報
【発明の概要】
【発明が解決しようとする課題】
【０００４】
しかし、上記の従来例では、ハゼ締め部７６、７９の一箇所のみを折板連結具Ａ’及び吊り子７７で連結しているので、上下の折板７５、７８を強固に連結することができないという問題があった。
【０００５】
本発明は上記の点に鑑みてなされたものであり、上下の折板を強固に連結することができる折板連結具を提供することを目的とするものである。
【課題を解決するための手段】
【０００６】
本発明の請求項１に係る折板連結具Ａは、二重折板屋根の折板１、２の間に配置され、これらの折板１、２を連結するための連結具Ａであって、下折板１の山部１ａを跨いで配置される一対の脚部片１１と、脚部片１１の下端部に形成されて下折板１の山部１ａの側部に形成された係止部１ｂに係止される係止脚部３ｂと、一対の脚部片１１、１１の間に架設される連結部材７とを備えて成ることを特徴とするものである。
【０００７】
本発明の請求項２に係る折板連結具Ａは、請求項１において、連結部材７と係止脚部３ｂとの間に補強部材８を架設して成ることを特徴とするものである。
【発明の効果】
【０００８】
請求項１の発明では、連結部材７により脚部片１１、１１の間隔が拡張するのを防止することができ、係止部１ｂからの係止脚部３ｂの係止を外れにくくすることができ、山部１ａに対する脚部片１１の取付強度を大きくして上下の折板１、２を強固に連結することができるものである。
【０００９】
請求項２の発明では、補強部材８により係止脚部３ｂ、３ｂの間隔が拡張するのを防止することができ、係止部１ｂからの係止脚部３ｂの係止をさらに外れにくくすることができ、山部１ａに対する脚部片１１の取付強度を向上させて上下の折板１、２をさらに強固に連結することができるものである。
【図面の簡単な説明】
【００１０】
【図１】本発明の実施の形態の一例を示す概略図である。
【図２】同上のフレーム部材を示す斜視図である。
【図３】折板の一例を示す斜視図である。
【図４】タイトフレームの一例を示す斜視図である。
【図５】下折板の一例を示す断面図である。
【図６】本発明の施工工程を示す概略図である
【図７】（ａ）は従来例を示す斜視図、（ｂ）は使用状態の断面図である。
【発明を実施するための形態】
【００１１】
以下、本発明を実施するための形態を説明する。
【００１２】
本発明の折板連結具Ａは、図２に示すように、フレーム部材３と連結部材７と補強部材８とを備えて形成されている。フレーム部材３、連結部材７及び一対の補強部材８、８は鉄板や鋼板、亜鉛めっき鋼板、塗装板、ガルバリウム鋼板などの矩形状（帯状）の金属板を折り曲げ加工するなどして形成されるものである。この金属板の厚みは１．６ｍｍ程度で、１．０〜３．０ｍｍとすることができるが、これに限定されるものではない。
【００１３】
フレーム部材３は断面逆Ｕ字状の本体部３ａと、本体部３ａの両方の下端に設けた係止脚部３ｂ、３ｂとを備えて形成されている。本体部３ａは略水平板状の頂面部１０と、頂面部１０の両側端から外側方（頂面部１０と反対側）の斜め下方に向かって突出する脚片部１１、１１とを備えて形成されている。各脚片部１１には複数（二つ）の被係止部５が形成されている。被係止部５は脚片部１１の表面に突出して形成されるものであって、例えば、脚片部１１の一部を切り起こし加工することにより被係止部５を形成することができる。また、一方の被係止部５は脚片部１１の上下方向の中央部よりも上側に形成することができ、他方の被係止部５は脚片部１１の上下方向の中央部よりも下側に形成することができる。また、被係止部５の外面には補強のためのリブ部５ａが突設されている。係止脚部３ｂは脚片部１１の下端から下方に向かって突出して形成されるものであり、係止脚部３ｂの下部には内側（頂面部１０側）に向かって突出する断面略く字状の係着部１２が形成されている。
【００１４】
連結部材７及び補強部材８は矩形板状に形成されるものである。連結部材７は対向する一対の脚片部１１、１１の間に架設されるものであり、連結部材７の端部は上下の被係止部５、５の間において脚片部１１の前面又は後面に折り曲げて形成された延出片１１ａにかしめ等により連結されている。また、補強部材８は連結部材７と係止脚部３ｂとの間に架設されるものであり、一方の補強部材８は連結部材７の略中央部から一方の係止脚部３ｂの上部まで斜め下方に向かって突出し、他方の補強部材８は連結部材７の略中央部から他方の係止脚部３ｂの上部まで斜め下方に向かって突出している。連結部材７と補強部材８の連結及び係止脚部３ｂと補強部材８の連結はかしめ等により行うことができるが、係止脚部３ｂの前面又は後面に折り曲げて形成された突出片１３に補強部材８を連結することができる。
【００１５】
そして、本発明の折板連結具Ａを用いて二重折板屋根を形成するにあたっては、次のようにして行う。まず、複数の折板４０、４０…を屋根下地に取り付けて下折板１を形成する。折板４０は図３に示すように、塗装鋼板や亜鉛めっき鋼板などの金属板を折り曲げ加工して形成されるものであって、屋根の傾斜方向（流れ方向）に長尺に形成されるものである。また、折板４０は断面略Ｕ字状に形成されており、谷部４１と、その両方の側端部から斜め上方に向かって突出する山部半体４２ａ、４２ｂとを備えて形成されている。谷部４１には一対の段部４１ａ、４１ａが折り曲げ加工により折板４０の長手方向の略全長にわたって形成されている。
【００１６】
一方の山部半体４２ａは、谷部４１の一方の側端から外側方（谷部４１と反対側）の斜め上方に向かって突出する傾斜部４３と、この傾斜部４３の上端から外側方（谷部４１と反対側）に向かって略水平に突出する頂部２３（１ｃ）と、この頂部２３の端部から上方に向かって突出する断面略逆Ｕ字状の嵌合部２４とから構成されている。他方の山部半体４２ｂは、谷部４１の一方の側端から外側方（谷部４１と反対側）の斜め上方に向かって突出する傾斜部４３と、この傾斜部４３の上端から外側方（谷部４１と反対側）に向かって略水平に突出する頂部２３（１ｃ）と、この頂部２３の端部から上方に向かって突出する断面略倒Ｌ字状の被嵌合部２５とから構成されている。
【００１７】
そして、山部半体４２ａ、４２ｂの傾斜部４３には係止部４４、４５が設けられている。係止部４４、４５は傾斜部４３の一部を段状に折り曲げてその裏面側に突出するように形成されている。また、一方の係止部４４は傾斜部４３の上下方向の中央部よりも上側に形成することができ、他方の係止部４５は傾斜部４３の上下方向の中央部よりも下側に形成することができる。また、係止部４４、４５は折板４０の長尺方向の全長にわたって形成することができる。
【００１８】
上記のような折板４０を母屋等の屋根下地に取り付けるにあたっては、タイトフレームＢを用いる。図４に示すように、タイトフレームＢは矩形状（帯状）の鋼板などの金属板を折り曲げ加工して形成されるものであって、断面逆Ｕ字状の固定突部４６と、固定突部４６の両方の下端に外側（側方）に向かって突出する固定部４９、４９とを備えて形成されている。固定突部４６は略水平板状の頂部５０と、頂部５０の両側端から外側方（頂部５０と反対側）の斜め下方に向かって突出する脚部３２、３２とを備えて形成されている。また、各脚部３２には係合部４７、４８が形成されている。係合部４７、４８は脚部３２の表面に突出して形成されるものであって、例えば、脚部３２の一部を切り起こし加工することにより係合部４７、４８を形成することができる。また、一方の係合部４７は脚部３２の上下方向の中央部よりも上側に形成することができ、他方の係合部４８は脚部３２の上下方向の中央部よりも下側に形成することができる。
【００１９】
そして、下折板１を形成するあたっては、次のようにして施工することができる。まず、複数個のタイトフレームＢ、Ｂ…を建物の屋根下地の上に固定する。このとき、タイトフレームＢの固定部４９を屋根下地の上に載せ、固定部４９を溶接などにより屋根下地に接合することによって、タイトフレームＢを屋根下地に固定することができる。タイトフレームＢは屋根下地の長手方向に並べて複数個取り付けることができ、これにより、屋根下地の長手方向（屋根の傾斜方向と直交する方向）のほぼ全長にわたってタイトフレームＢを並設することができる。また、この場合、固定突部４６の頂部５０の幅方向が屋根下地の長手方向と一致している。
【００２０】
次に、屋根の傾斜方向に並設された複数本の屋根下地の上に一枚の折板４０を架設する。このとき、屋根下地に取り付けたタイトフレームＢに折板４０を上側から被せるように配置し、屋根下地に取り付けた上記タイトフレームＢの隣り合う固定突部４６、４６の間に上記折板４０の谷部４１を位置させて屋根下地又は上記タイトフレームＢの固定部４９の上に載置する。また、上記折板４０の一方の山部半体４２ａとこれに近接する一方の固定突部４６とを連結すると共に上記折板４０の他方の山部半体４２ｂとこれに近接する他方の固定突部４６とを連結する。この場合、傾斜部４３に設けた上側の係止部４４を固定突部４６に設けた上側の係合部４７の先端（下端）に係止すると共に、傾斜部４３に設けた下側の係止部４５を固定突部４６に設けた下側の係合部４８の先端（下端）に係止する。このようにして折板４０の両側の山部半体４２ａ、４２ｂをタイトフレームＢに係止して保持する。また、上記折板４０の被嵌合部２５を設けた方の山部半体４２ｂの頂部２３は固定突部４６の頂部５０の上側に配置する。
【００２１】
次に、上記とは別の他の折板４０を屋根の傾斜方向に並設された複数本の屋根下地の上に架設する。ここで、新たに架設する折板４０は上記既設の折板４０に隣接して配置するものであり、これにより、上記の固定突部４６、４６のうちの一方を挟んで折板４０、４０が隣り合う状態となる。また、新たに架設する折板４０は、上記と同様に、屋根下地に取り付けたタイトフレームＢに上側から被せるように配置し、屋根下地に取り付けたタイトフレームＢの隣り合う固定突部４６、４６の間に谷部１を位置させると共に係合部４７、４８への係止部４４、４５の係止により両側の山部半体４２ａ、４２ｂをタイトフレームＢに係止して保持する。また、新たに架設する折板４０の既設の折板４０に近い方の山部半体４２ａの嵌合部２４を、既設の折板４０の上記山部半体４２ｂの被嵌合部２５に上側から嵌め込む。これにより、新たに架設する折板４０の嵌合部２４の内側に既設の折板４０の被嵌合部２５を位置させ、この後、新たに架設した折板４０の嵌合部２４を折り曲げて既設の折板４０の被嵌合部２５の下側に係止させる。このようにして隣接する折板４０、４０の山部半体４２ａ、４２ｂ同士をハゼ締め（馳締め）によりハゼ締め部６を形成して接合することによって、隣接する山部半体４２ａ、４２ｂとを接続して山部１ａを形成する。また、上記のハゼ締めにより、山部半体４２ａ、４２ｂが固定突部４６の方に近づくように若干傾くために、係止部４４、４５が係合部４７、４８にさらに深く確実に係止されることになる。そして、このようにして複数枚の折板４０、４０…を順次接続しながら敷設していくことにより、図５に示すような、山部１ａと谷部４１とが交互に連続して連なった下折板１を形成することができる。
【００２２】
上記のようにして下折板１を配設した後、図６に示すように、本発明の折板連結具Ａを取り付ける。折板連結具Ａを取り付けるにあたっては、フレーム部材３を下折板１の山部１ａに上方から近づけて山部１ａの両側方に脚片部１１、１１を配置し、この後、フレーム部材３をハンマー等で叩き込むことによって、フレーム部材３を山部１ａに強制的に嵌め込むと共に係止脚部３ｂの係着部１２を山部１ａの側部に形成された係止部１ｂ（下側の係止部４５のこと）の下面に係止する。このように山部１ａを一対の脚片部１１、１１で挟んで跨ぐようにしてフレーム部材３を取り付けることができる。一つの山部１ａに対して複数個のフレーム部材３を山部１ａの長手方向に並べて配設することができ、この場合、タイトフレームＢの間隔と同じ間隔でフレーム部材３を取り付けることができる。また、山部１ａの長手方向と直交する方向に隣り合うフレーム部材３、３が並んで配設されることになる。このようにして下折板１の山部１ａに複数個の折板連結具Ａを取り付けることができる。尚、折板連結具Ａは下折板１の全ての山部１ａに取り付けてもよいし、必要に応じて、一部の山部１ａのみに取り付けてもよい。また、下折板１のハゼ締め部６の上方に連結部材７と補強部材８の連結部分が位置する。
【００２３】
上記のようにして折板連結具Ａを配設した後、複数の折板４０を取り付けて上折板２を形成する。まず、下折板１の上方に一枚の折板４０を配置する。このとき、下折板１に取り付けたフレーム部材３に折板４０を上側から被せるように配置し、隣り合うフレーム部材３、３の間に折板４０の谷部４１を位置させる。また、上記折板４０の一方の山部半体４２ａとこれに近接するフレーム部材３とを連結すると共に上記折板４０の他方の山部半体４２ｂとこれに近接する他のフレーム部材３とを連結する。この場合、傾斜部４３に設けた上側の係止部４４（２ｂ）をフレーム部材３に設けた上側の被係止部５の先端（下端）に係止すると共に、傾斜部４３に設けた下側の係止部４５（２ｂ）をフレーム部材３に設けた下側の被係止部５の先端（下端）に係止する。このようにして折板４０の両側の山部半体４２ａ、４２ｂをフレーム部材３、３に係止して保持する。
【００２４】
次に、上記とは別の他の折板４０を下折板１の上方に配置する。ここで、新たに配置する折板４０は上記既設の折板４０に隣接して配置するものであり、これにより、折板連結具Ａを挟んで折板４０、４０が隣り合う状態となる。また、新たに架設する折板４０は、上記と同様に、下折板１に取り付けた折板連結具Ａに上側から被せるように配置し、隣り合うフレーム部材３、３の間に折板４０の谷部４１を位置させると共に被係止部５、５への係止部４４、４５の係止により両側の山部半体４２ａ、４２ｂをフレーム部材３に係止して保持する。また、新たに配置する折板４０の既設の折板４０に近い方の山部半体４２ａの嵌合部２４を、既設の折板４０の上記山部半体４２ｂの被嵌合部２５に上側から嵌め込む。これにより、新たに架設する折板４０の嵌合部２４の内側に既設の折板４０の被嵌合部２５を位置させ、この後、新たに架設した折板４０の嵌合部２４を折り曲げて既設の折板４０の被嵌合部２５の下側に係止させる。このようにして隣接する折板４０、４０の山部半体４２ａ、４２ｂ同士をハゼ締め（馳締め）によりハゼ締め部６を形成して接合することによって、隣接する山部半体４２ａ、４２ｂとを接続して山部２ａを形成する。また、上記のハゼ締めにより、山部半体４２ａ、４２ｂがフレーム部材３の方に近づくように若干傾くために、係止部４４、４５が被係止部５、５にさらに深く確実に係止されることになる。そして、このようにして複数枚の折板４０、４０…を順次接続しながら敷設していくことにより、図１に示すように、山部２ａと谷部４１とが交互に連続して連なった上折板２を形成することができる。このようにして、上下に対向配置された下折板１と上折板２からなる二重折板屋根を形成し、下折板１と上折板２の間に配置された折板連結具Ａで下折板１と上折板２とを連結することができる。尚、下折板１と上折板２との間の空間にロックウールなどの断熱材を充填して断熱性を高めることができる。
【符号の説明】
【００２５】
Ａ  折板連結具
１  下折板
１ａ  山部
１ｂ  係止部
３ｂ  係止脚部
７  連結部材
８  補強部材
１１  脚部片
【図１】
2010248808.tif 000003
【図２】
2010248808.tif 000004
【図３】
2010248808.tif 000005
【図４】
2010248808.tif 000006
【図５】
2010248808.tif 000007
【図６】
2010248808.tif 000008
【図７】
2010248808.tif 000009